(57)【要約】ピンが挿入される筒体と、この筒体の外周に巻回されたコイルバネと、筒体及びコイルバネの外周を包囲する外筒体からなり、筒体には切込みを設けてこれにコイルバネの直線状の留め部を嵌合させることにより、この留め部と筒体の対向壁部との間にピン留め用の狭窄部を形成したピン留め具。  このピン留め具は製造及び組み付けが容易なごく少数の部品からなる簡単な構成を持ち、しかもピン留めにおける優れた作用・効果を期待できる。
2010073967.tif 000002
【特許請求の範囲】
【請求項１】
ピンが挿入される筒体と、この筒体の外周に設けたコイルバネによって構成され、
前記筒体におけるピン挿入側端部である前端部付近には溝状又は窓状の切込みを設け、前記コイルバネの後端側の端部を前記筒体の後端側の部分に止着すると共に、コイルバネの前端部にはコイルバネの円周線に対して径方向に交差するように延設された留め部を形成し、この留め部を前記筒体の切込みに嵌入させることにより、留め部と筒体の対向壁部との間にピン留め用の狭窄部を形成したピン留め具であって、
かつ、下記（１）又は（２）の構成を備えることを特徴とするピン留め具。
（１）前記筒体の切込みを筒体の後端側から前端側へ向かって斜め方向に切り込んで設けると共に、前記コイルバネを軸方向に圧縮された状態で設けている。
（２）前記コイルバネを筒体の外周に密着又はほぼ密着した状態で設けている。
【請求項２】
前記ピン留め具の筒体における前端部がラッパ状に拡径して開口している、請求の範囲１項に記載のピン留め具。
【請求項３】
ピンが挿入される筒体と、この筒体の外周に設けたコイルバネと、前記コイルバネの外周を包囲する外筒体によって構成され、
前記筒体におけるピン挿入側端部である前端部付近には溝状又は窓状の切込みを設け、前記コイルバネの後端側の端部を前記筒体の後端側の部分に止着すると共に、コイルバネの前端部にはコイルバネの円周線に対して径方向に交差するように延設された留め部を形成し、この留め部を前記筒体の切込みに嵌入させることにより、留め部と筒体の対向壁部との間にピン留め用の狭窄部を形成し、
更に、前記外筒体の前端部付近には、前記筒体の切込みに対する径方向反対側の部位において周方向に溝状の窓状開口部を形成したピン留め具であって、
かつ、下記（１）又は（２）の構成を備えることを特徴とするピン留め具。
（１）前記筒体の切込みを筒体の後端側から前端側へ向かって斜め方向に切り込んで設けると共に、前記コイルバネを軸方向に圧縮された状態で設け、かつ、コイルバネの全ての巻きサイクル又は前端側の巻きサイクルを大径に形成して、大径の巻きサイクルの一部を前記外筒体の窓状開口部に嵌合させている。
（２）前記コイルバネの前端側において他の巻きサイクルよりも大径の第１巻きサイクルを形成して、その一部を前記外筒体の窓状開口部に嵌合させると共に、コイルバネの他の巻きサイクルを筒体の外周に密着又はほぼ密着した状態で設けている。
【請求項４】
前記ピン留め具の筒体における前端部がラッパ状に拡径して開口している、請求の範囲３項に記載のピン留め具。
【請求項５】
ピンが挿入される筒体と、この筒体の外周に設けたコイルバネと、前記コイルバネの外周を包囲する外筒体によって構成され、
前記筒体におけるピン挿入側端部である前端部付近には溝状又は窓状の切込みを設け、前記コイルバネの後端側の端部を前記筒体の後端側の部分に止着すると共に、コイルバネの前端部にはコイルバネの円周線に対して径方向に交差するように延設された留め部を形成し、この留め部を前記筒体の切込みに嵌入させることにより、留め部と筒体の対向壁部との間にピン留め用の狭窄部を形成し、
更に、前記筒体の前端部に外向きフランジを形成すると共に、この外向きフランジよりも開口径の小さい内向きフランジを前記外筒体の前端部に形成したピン留め具であって、
かつ、下記（１）又は（２）の構成を備えることを特徴とするピン留め具。
（１）前記筒体の切込みを筒体の後端側から前端側へ向かって斜め方向に切り込んで設けると共に、前記コイルバネを軸方向に圧縮された状態で設け、かつ、コイルバネの全ての巻きサイクル又は前端側の巻きサイクルを、前記外筒体の内向きフランジの開口径よりも大径に形成している。
（２）前記コイルバネの前端側において前記外筒体の内向きフランジの開口径よりも大径の第１巻きサイクルを形成し、コイルバネの他の巻きサイクルを筒体の外周に密着又はほぼ密着した状態で設けている。
【請求項６】
前記ピン留め具の筒体における外向きフランジを形成した前端部がラッパ状に拡径して開口している、請求の範囲５項に記載のピン留め具。
【請求項７】
前記コイルバネが、その前端部においてコイルバネの軸方向に伸びるアームを形成し、このアームの先端に、コイルバネの円周線に対して径方向に交差するように延設された留め部を形成したものである請求の範囲１項〜６項のいずれかに記載のピン留め具。
【請求項８】
ネックレスの一方の鎖状端部に設けたピンと、このピンを留めるためにネックレスの他方の鎖状端部に設けたピン留め具からなるピン留めであって、前記ピンは磁石に吸着される金属材料からなり、先端部付近の凹状部分と、平坦に又は丸く形成された先端部とを備え、前記ピン留め具は請求の範囲１項〜７項のいずれかに記載の構成を備えると共に、筒体の内部には筒体に挿入されるピンの先端部を吸着する磁石が収納されているピン留め。
【請求項９】
前記ピン留めにおいて、ピン留め具のコイルバネの後端側の端部を筒体に止着させると共に筒体の中心部まで延設させて磁石ストッパーを形成し、磁石をコイルバネの留め部と磁石ストッパーとの間で僅かに遊動できる状態で筒体の内部に収納している請求の範囲８項に記載のピン留め。
【発明の詳細な説明】
【技術分野】
【０００１】
本発明はピン留め具に関する。更に詳しくは本発明は、身体装飾品等に設けられたピンを留めるためのピン留め具に関する。本発明は、好ましくはタイタック、ピンブローチ、ピアス、ネックレス等の装飾品のピン留めに適用されるが、装飾品以外の比較的小さなサイズの各種の物品のピン留めにも適用される。
【背景技術】
【０００２】
近年のピン留め具においては、ピンに対する留め部材の進入と離脱とを、弾性的な変形機能を持つバネ材を利用して行う構造が多い。通常のピン留め具は小さなサイズであるため、バネ材を利用するピン留め機構によって留め具の構造を簡素化することは、合理的である。
例えば、第１の従来技術として第１図（ａ）及び第１図（ｂ）に断面図で示すピン留め具が提案されている。このピン留め具１においては、全体的に円形又は楕円形であるカバー２の内部に、弾性的に変形可能な材料からなる１対の留め部材３が収納されている。これらの留め部材３は中央のピン挿入部４を中心として対称に構成されており、それぞれ図示する形状のピン留めアーム５と押さえアーム６を備えている。
ピン留め状態においては、第１図（ａ）に示すように、双方の留め部材３の押さえアーム６がそれぞれ他方の留め部材３を反対方向へ押しつけ、その結果、一対のピン留めアーム５がピン挿入部４の方向へ押付けられている。そのため、ピン挿入部４にあるピン（図示省略）は１対のピン止めアーム５によって留められる。
ピン留め具１からピンを抜く場合は、留め部材３からカバー２の外側へ突出したボタン部７を中央方向へ押し込む。すると、第１図（ｂ）に示すように、１対のピン留めアーム５がそれぞれ押さえアーム６の付勢力に抗してピンから離脱し、ピン留め状態が解除される。
次に第２の従来技術として、下記の特許文献１に記載された装身具の止め具が例示される。
【特許文献１】特開２００８−３９４号公報
【０００３】
この止め具は、図示は省略するが、まず、ピン挿入用開口を有するハウジング内に、内側壁面にテーパー部が形成されている案内筒を設ける。そして、この案内筒の内側空間に、複数の球体と、該球体に対して下面が接触する鍔部材を有し、かつ、弾性体により常にピン挿入用開口方向に付勢されている球体押圧部材が配置されている。その結果、テーパー部の所定の内径位置において、複数の球体で形成される環の内側においてピンを挟持するという構成である。
ところで、身体装飾品等のピン留め具は一般的に非常に小さなサイズのものである。しかるに、第１図に示す第１の従来技術や、特許文献１として挙げた第２の従来技術は、いずれも複雑な構造を持ち、しかも部品の製造及び組み付けが容易ではない。
即ち、第１の従来技術において、１対の留め部材３は複雑に屈曲した形状のピン留めアーム５と押さえアーム６を備えており、このような複雑形状の留め部材３を微細なサイズにて正確に製造することは容易ではない。又、第２の従来技術においては、微小なハウジング内に内側壁面にテーパー部を持つ案内筒を設けることや、この案内筒の内側空間に複数の球体、鍔部材、弾性体（コイルバネ）等を配置することは、それらの部品の製造上も、部品の組み付け上も容易ではない。従ってこれらのピン留め具の場合、製造コストや組付けコストの増大を余儀なくされる。
【発明の開示】
【０００４】
本発明は、製造及び組み付けが容易なごく少数の部品からなる簡単な構成を持ち、しかもピン留め具として優れた作用・効果を期待できるピン留め具を提供することを課題とする。
（第１発明）
本願の第１発明は、ピンが挿入される筒体と、この筒体の外周に設けたコイルバネによって構成され、
前記筒体におけるピン挿入側端部である前端部付近には溝状又は窓状の切込みを設け、前記コイルバネの後端側の端部を前記筒体の後端側の部分に止着すると共に、コイルバネの前端部にはコイルバネの円周線に対して径方向に交差するように延設された留め部（この留め部は、直線状に形成しても良く、幾分湾曲した曲線状に形成しても良い）を形成し、この留め部を前記筒体の切込みに嵌入させることにより、留め部と筒体の対向壁部との間にピン留め用の狭窄部を形成したピン留め具であって、
かつ、下記（１）又は（２）の構成を備える、ピン留め具である。
（１）前記筒体の切込みを筒体の後端側から前端側へ向かって斜め方向に切り込んで設けると共に、前記コイルバネを軸方向に圧縮された状態で設けている。
（２）前記コイルバネを筒体の外周に密着又はほぼ密着した状態で設けている。
第１発明に係るピン留め具は、ピンが挿入される筒体と、この筒体の外周に設けたコイルバネによって構成されるので、部品の製造コストが著しく低減される。又、ピン留め具の組付けに当たり、コイルバネの後端側の端部を筒体に止着すると共に、コイルバネの前端側においてコイルバネの円周線に対して径方向に交差するように延設された留め部を筒体の切り込みに嵌入させるだけで良いので、ピン留め具の組付けコストも著しく低減される。
第１発明によれば、ピンを筒体におけるピン挿入側端部である前端部から差し込むと、ピンの先端が、コイルバネの弾発力に抗して、筒体のピン留め用の狭窄部に位置する留め部を切込みに沿って押し上げる。そしてピンの先端が狭窄部を通過した後、コイルバネの弾発力に基づいて、その留め部がピンに強く押し付けられるため、有効なピン留めが行われる。
コイルバネの留め部がピンに強く押し付けられる力は、次の理由によって得られる。即ち、第１発明の（１）の場合には、筒体の後端側から前端側へ向かって斜め方向に設けた切込みに、圧縮状態のコイルバネの留め部を嵌入させている。従って、コイルバネが軸方向に伸びようとする力が、斜め方向に設けた切込みによって、狭窄部に挿入されたピンに対する留め部の強い押し付け力に転換される。第１発明の（２）の場合には、コイルバネを筒体の外周に密着又はほぼ密着した状態で設けているので、狭窄部に挿入されたピンに対して、コイルバネの巻き戻し抵抗に基づく留め部の強い押し付け力が働く。
なお、ピンの先端部付近に凹状部分が設けられている場合には、上記のようにピンの先端が狭窄部を通過した後、ピンの凹状部分が狭窄部に達したとき、コイルバネの留め部が弾発力によって凹状部分に食い込んで、ピン留めが一層確実に行われる。一方、コイルバネの留め部の弾発力に抗してピンを軸方向に沿って筒体から引き抜くと、上記とは逆の作用により、ピン留めを解除することができる。
このように、ピン留め及びその解除は、筒体の外周に設けたコイルバネの弾発力に抗して行う必要がある。従って、人為的に強い操作力を加えてピン留め及びその解除を行う場合を除き、身体装飾品等の通常の装着状態においては、意に反してピン留めが解除される恐れがない。
（第２発明）
本願の第２発明においては、前記第１発明に係るピン留め具の筒体における前端部がラッパ状に拡径して開口している。
第２発明に係るピン留め具は、筒体の前端部（ピン挿入側の端部）がラッパ状に拡径して開口しているので、筒体に対するピンの挿入操作が容易かつ確実である。特に、例えば耳に装着するピアスのように、身体装飾品等をメクラ操作でピン留めを行う必要がある場合に、そのメリットが大きい。
（第３発明）
本願の第３発明は、ピンが挿入される筒体と、この筒体の外周に設けたコイルバネと、前記コイルバネの外周を包囲する外筒体によって構成され、
前記筒体におけるピン挿入側端部である前端部付近には溝状又は窓状の切込みを設け、前記コイルバネの後端側の端部を前記筒体の後端側の部分に止着すると共に、コイルバネの前端部にはコイルバネの円周線に対して径方向に交差するように延設された留め部（この留め部は、直線状に形成しても良く、幾分湾曲した曲線状に形成しても良い）を形成し、この留め部を前記筒体の切込みに嵌入させることにより、留め部と筒体の対向壁部との間にピン留め用の狭窄部を形成し、
更に、前記外筒体の前端部付近には、前記筒体の切込みに対する径方向反対側の部位において周方向に溝状の窓状開口部を形成したピン留め具であって、
かつ、下記（１）又は（２）の構成を備える、ピン留め具である。
（１）前記筒体の切込みを筒体の後端側から前端側へ向かって斜め方向に切り込んで設けると共に、前記コイルバネを軸方向に圧縮された状態で設け、かつ、コイルバネの全ての巻きサイクル又は前端側の巻きサイクルを大径に形成して、大径の巻きサイクルの一部を前記外筒体の窓状開口部に嵌合させている。
（２）前記コイルバネの前端側において他の巻きサイクルよりも大径の第１巻きサイクルを形成して、その一部を前記外筒体の窓状開口部に嵌合させると共に、コイルバネの他の巻きサイクルを筒体の外周に密着又はほぼ密着した状態で設けている。
第３発明に係るピン留め具においては、第１発明に関して前記した部品製造コストや組付けコストの低減効果を期待できる。
又、狭窄部におけるピン留めの効果、及びピン留めの解除操作等の作用・効果に関して、第３発明の（１）の場合にはコイルバネの全ての巻きサイクル又は前端側の巻きサイクルを大径に形成しているが、前記した第１発明の（１）の場合と同等の効果を期待できる。第３発明の（２）の場合にはコイルバネの前端側において大径の第１巻きサイクルを形成しているが、他の巻きサイクルを筒体の外周に密着又はほぼ密着した状態で設けているので、前記した第１発明の（２）の場合と同等の効果を期待できる。
第３発明に係るピン留め具においては、更に以下の効果を期待できる。即ち、コイルバネの外周に外筒体を設けることにより、ピン留め具の外観を良好なものとすることができ、かつ手指によるピン留め及びその解除操作を行い易い。又、外筒体はその窓状開口部に大径のコイルバネの巻きサイクルの一部を嵌合させているため、外筒体が軸方向に外れない。更に、ピン留めの解除の際、筒体の切込みに対する反対側の部位において外筒体の窓状開口部に露出したコイルバネの巻きサイクル部分を指で押し上げることにより、コイルバネの留め部を切込みに沿って押し上げ、弾発力によるピンの引き抜き抵抗を無力化できる。従ってピン留めの解除が一層容易である。換言すれば、コイルバネの留め部の引き抜き抵抗（ピン留めの強度）を非常に強く設計することができる。
（第４発明）
本願の第４発明においては、前記第３発明に係るピン留め具の筒体における前端部がラッパ状に拡径して開口している。
第４発明に係るピン留め具においては、前記した第２発明の場合と同様の効果が得られる。
（第５発明）
本願の第５発明は、ピンが挿入される筒体と、この筒体の外周に設けたコイルバネと、前記コイルバネの外周を包囲する外筒体によって構成され、
前記筒体におけるピン挿入側端部である前端部付近には溝状又は窓状の切込みを設け、前記コイルバネの後端側の端部を前記筒体の後端側の部分に止着すると共に、コイルバネの前端部にはコイルバネの円周線に対して径方向に交差するように延設された留め部（この留め部は、直線状に形成しても良く、幾分湾曲した曲線状に形成しても良い）を形成し、この留め部を前記筒体の切込みに嵌入させることにより、留め部と筒体の対向壁部との間にピン留め用の狭窄部を形成し、
更に、前記筒体の前端部に外向きフランジを形成すると共に、この外向きフランジよりも開口径の小さい内向きフランジを前記外筒体の前端部に形成したピン留め具であって、
かつ、下記（１）又は（２）の構成を備える、ピン留め具である。
（１）前記筒体の切込みを筒体の後端側から前端側へ向かって斜め方向に切り込んで設けると共に、前記コイルバネを軸方向に圧縮された状態で設け、かつ、コイルバネの全ての巻きサイクル又は前端側の巻きサイクルを、前記外筒体の内向きフランジの開口径よりも大径に形成している。
（２）前記コイルバネの前端側において前記外筒体の内向きフランジの開口径よりも大径の第１巻きサイクルを形成し、コイルバネの他の巻きサイクルを筒体の外周に密着又はほぼ密着した状態で設けている。
第５発明に係るピン留め具においては、第１発明に関して前記した部品製造コストや組付けコストの低減効果を期待できる。
又、狭窄部におけるピン留めの効果、及びピン留めの解除操作等の作用・効果に関して、第５発明の（１）の場合にはコイルバネの全ての巻きサイクル又は前端側の巻きサイクルを外筒体の内向きフランジの開口径よりも大径に形成しているが、前記した第１発明の（１）の場合と同等の効果を期待できる。第５発明の（２）の場合にはコイルバネの前端側において大径の第１巻きサイクルを形成しているが、他の巻きサイクルを筒体の外周に密着又はほぼ密着した状態で設けているので、前記した第１発明の（２）の場合と同等の効果を期待できる。
第５発明に係るピン留め具においては、更に以下の効果を期待できる。即ち、コイルバネの外周に外筒体を設けることにより、ピン留め具の外観を良好なものとすることができ、かつ手指によるピン留及びその解除操作を行い易い。又、筒体の前端部の外向きフランジとコイルバネの大径の巻きサイクルとの間に外筒体の内向きフランジが係合しているので、外筒体が軸方向に外れない。外筒体の内向きフランジをこのように係合させるに当たっては、コイルバネの大径の巻きサイクルを弾性的に縮径させつつ、外筒体の内向きフランジを筒体の後端側から上記の係合位置に進入させることができる。
（第６発明）
本願の第６発明においては、前記第５発明に係るピン留め具の筒体における外向きフランジを形成した前端部がラッパ状に拡径して開口している。
第６発明に係るピン留め具においては、前記した第２発明の場合と同様の効果が得られる。
（第７発明）
本願の第７発明においては、前記第１発明〜第６発明のいずれかに係るコイルバネが、その前端部においてコイルバネの軸方向に伸びるアームを形成し、このアームの先端に、コイルバネの円周線に対して径方向に交差するように延設された留め部を形成したものである。
第７発明に係るピン留め具においては、コイルバネの軸方向に伸びるアームを介して留め部が形成されているので、留め部に対してより柔らかな弾力性を与えることができる。その結果、太さの違うピンに対しても留め部が十分に押し付けられ、良好なピン留め効果が発揮される。
（第８発明）
本願の第８発明は、ネックレスの一方の鎖状端部に設けたピンと、このピンを留めるためにネックレスの他方の鎖状端部に設けたピン留め具からなるピン留めであって、前記ピンは磁石に吸着される金属材料からなり、先端部付近の凹状部分と、平坦に又は丸く形成された先端部とを備え、前記ピン留め具は請求の範囲１項〜７項のいずれかに記載の構成を備えると共に、筒体の内部には筒体に挿入されるピンの先端部を吸着する磁石が収納されている、ピン留めである。
第８発明に係るピン留めは、第１発明〜第７発明のいずれかに記載のピン留め具をネックレスのピン留めに応用したものであって、ピンは平坦に又は丸く形成された先端部を備えるため、使用者にとって危険がない。ピンは磁石に吸着される金属材料からなり、ピン留め具の筒体の内部には磁石が収納されているので、筒体に対するピンの挿入が磁石によって吸引・ガイドされ、容易かつ確実である。更に、筒体に挿入されたピンは磁石に吸着されており、かつ、ピンの先端部付近の凹状部分がコイルバネの留め部によって押さえられるので、ピン留めの力が強い。
（第９発明）
本願の第９発明においては、前記第８発明に係るピン留めにおいて、ピン留め具のコイルバネの後端側の端部を筒体に止着させると共に筒体の中心部まで延設させて磁石ストッパーを形成し、磁石をコイルバネの留め部と磁石ストッパーとの間で僅かに遊動できる状態で筒体の内部に収納している。
第９発明に係るピン留めでは、筒体の内部に収納された磁石が、軸方向へ遊動できる状態で収納され、かつ、前方への遊動はコイルバネの留め部によって、後方への遊動はコイルバネの磁石ストッパーによってそれぞれ規制されるため、コイルバネの留め部と磁石ストッパーとの間で僅かに遊動できる状態で収納されている。
従って、ピンの先端部を筒体に挿入する際には磁石がコイルバネの留め部のすぐ後方まで遊動して、ピンに対する磁石の吸引・ガイド作用が十分に発揮される。一方、筒体に対してピンを更に深く挿入する際には、磁石が磁石ストッパーによって止まる位置まで後方へ遊動するので、磁石がピンの挿入を阻害しない。
【図面の簡単な説明】
【０００５】
第１図（ａ）及び第１図（ｂ）は従来のピン留め式の留め具を示す断面図である。
第２図は実施例１のピン留め具の構成部品を個々に示す図であって、第２図（ａ）は外筒体の斜視図、第２図（ｂ）は窓状開口部の変更実施例を示す外筒体の底面図、第２図（ｃ）はコイルバネの斜視図、第２図（ｄ）は筒体の斜視図である。
第３図（ａ）は第２図（ａ）に示す外筒体の軸方向の中央縦断面図であり、第３図（ｂ）は第２図（ｄ）に示す筒体の軸方向の中央縦断面図である。
第４図（ａ）はコイルバネの変更実施例を示す図であり、第４図（ｂ）は筒体の変更実施例を示す図である。
第５図（ａ）及び第５図（ｂ）は実施例１のピン留め具の使用状態を示す図であって、外筒体と筒体を断面で示す。
第６図は実施例２のピン留め具の使用状態を示す図であって、外筒体と筒体を断面で示す。
第７図（ａ）は実施例４に係るコイルバネの斜視図を示し、第７図（ｂ）はその正面図を示し、第７図（ｃ）はその平面図を示す。
第８図（ａ）及び第８図（ｂ）は実施例４に係るコイルバネを用いたピン留め具の使用状態を示す図であって、外筒体と筒体を断面で示す。
第９図はピン留めの実施例を示す。
【発明を実施するための最良の形態】
【０００６】
次に、本発明を実施するための形態を、その最良の形態を含めて説明する。
〔ピン留め具〕
本発明に係るピン留め具は、主として身体装飾品等に設けられたピンを留めるためのピン留め具であるが、身体装飾品以外の各種の物品をピン留めするためにも用いられる。
「身体装飾品等」としては、タイタック、ピンブローチ、ピアス、ネックレス等の身体装飾品を例示することができる。ネックレスにおいては、後述の実施例に示すように、その一方の鎖状端部にピン（好ましくは、尖っていない形状のピン）を設け、他方の鎖状端部にピン留め具を設けることができる。これらの装飾品において、例えば、宝石等をあしらった装飾部材側にピンを取り付け、この装飾部材をピン留め具で留める方式とすることができる。
身体装飾品以外の比較的小さなサイズの各種の物品のピン留め具も例示することができる。例えばおもちゃ、日用雑貨等についても、その部品同士の一方にピン留め具を、他方にピンを設けることにより、互いに留め付けることができる。更に、これらの物品を壁面やボード等に、一方にピン留め具を、他方にピンを設けることにより、留め付けることにも利用できる。
ピンは、その先端部付近に凹状部分を形成したものであっても良いが、本発明のピン留め具は、このような凹状部分のないピンに対してもピン留め効果を期待できる。以下にピン留め具の第１〜第５の実施形態を説明する。
〔ピン留め具の第１の実施形態〕
第１の実施形態に係るピン留め具は、ピンが挿入される筒体と、この筒体の外周に設けたコイルバネによって構成される。
筒体の内径はピンの外径よりも幾分大きなものとする。筒体におけるピン挿入側端部である前端部付近には溝状又は窓状の切込みを設ける。コイルバネは、筒体に対して軸方向の位置決めを行うため、その後端側の端部を筒体に止着する。この止着の態様として、コイルバネの後端側の端部を適宜な形状に屈曲形成させて、筒体に設けた止着用の孔または溝状開口部に嵌合させることが好ましい。
コイルバネの前端側の端部は、コイルバネの円周線に対して径方向に交差するように延設された留め部とされる。この留め部は、直線状に形成しても良いが、後述の実施例でも示すように、幾分湾曲した曲線状に形成しても良い。留め部は、より好ましくはコイルバネの円周線の中心に対して偏心した位置を径方向に交差するように延設される。この留め部を前記筒体の切込みに嵌入させることにより、留め部と筒体の対向壁部との間にピン留め用の狭窄部を形成する。
狭窄部の幅は、ピンの直径より小さい（ピンが凹状部分を有する場合には、その凹状部分の直径と同等かあるいは小さい）程度である。なお、ピン挿入の容易さを考慮して筒体の内径を大きくする一方で、狭窄部の幅を十分に狭くするためには、前記の切込みを深く形成することも考えられる。しかし、切込みを深く形成することによる筒体の強度低下を回避したい場合には、筒体における留め部と対向する部分の壁部を内側に凹ませることも有効である。なお、筒体におけるピン挿入口である前端部を、ピンの挿入の容易性、確実性を考慮して、ラッパ状に拡径して開口させることも有効である。
この第１の実施形態においては、下記（１）又は（２）の構成が可能である。
（１）筒体の切込みを筒体の後端側から前端側へ向かって斜め方向に切り込んで設けると共に、コイルバネを軸方向に圧縮された状態で設ける。この切込みは、筒体の中心軸に対して斜め方向に交差する平面に沿って、溝状又は窓状の切込みの開始部分が筒体の後端側に位置し、切込みの先端部分が筒体の前端側に位置するような斜め方向に設けられる。切込みの開口幅はコイルバネの太さよりもやや大きい程度が好ましく、その「斜め方向」の傾斜角度は必ずしも限定されないが、筒体の中心軸に対して３０°〜４５°程度であることが好ましい。切込みの深さも限定されないが、後述の狭窄部の幅がピンの直径より小さくなるような深さ（ピンが凹状部分を有する場合には、その凹状部分の直径と同等かあるいは小さくなる程度の深さ）とすることが好ましい。
（２）コイルバネを筒体の外周に密着又はほぼ密着した状態で設ける。そのためには、筒体の外径と同等又はそれよりも小さい巻き径を有するコイルバネを用いることが好ましい。
〔ピン留め具の第２の実施形態〕
第２の実施形態に係るピン留め具は、ピンが挿入される筒体と、この筒体の外周に設けたコイルバネと、前記コイルバネの外周を包囲する外筒体によって構成される。
第２の実施形態において、筒体の内径、筒体に切込みを設ける点、コイルバネの後端側の端部を筒体に止着すると共にコイルバネの前端側の端部には留め部を形成して切込みに嵌入させる点、留め部と筒体の対向壁部との間にピン留め用の狭窄部を形成する点、筒体の前端部をラッパ状に拡径して開口させることが有効である点等は、第１の実施形態の場合と同様である。
この第２の実施形態においては、下記（１）又は（２）の構成が可能である。
（１）筒体の切込みを筒体の後端側から前端側へ向かって斜め方向に切り込んで設けると共に、コイルバネを軸方向に圧縮された状態で設け、かつ、コイルバネの全ての巻きサイクル又は前端側の巻きサイクルを大径に形成して、大径の巻きサイクルの一部を外筒体の窓状開口部に嵌合させる。この（１）において、斜め方向に切り込んで設ける切込みの構成は、第１の実施形態の（１）の場合と同様である。
（２）コイルバネの前端側において他の巻きサイクルよりも大径の第１巻きサイクルを形成して、その一部を外筒体の窓状開口部に嵌合させると共に、コイルバネの他の巻きサイクルを筒体の外周に密着又はほぼ密着した状態で設ける。そのためには、コイルバネの第１巻きサイクル以外の巻きサイクルの巻き径を、筒体の外径と同等か、又はそれより小さくすることが好ましい。窓状開口部の周方向の形成幅は、コイルバネの第１巻きサイクルの一部を嵌合させることにより、外筒体が軸方向に外れることを規制できる程度であれば良く、周方向の形成幅を余りに大きく設定すると、外筒体の強度を阻害する。
第２の実施形態に係るピン留め具の組み付け方法として、最初に筒体に対してコイルバネを装着し、次いで外筒体を外挿して、その窓状開口部にコイルバネの大径の巻きサイクルの一部を嵌合させ、更にコイルバネの留め部を筒体の切込みに嵌入させることができる。筒体の前端部をラッパ状に拡径して開口させている場合、外筒体を筒体の後端側から外挿する。最初に筒体に対して外筒体を外挿してから両者の中間にコイルバネを装着させる方法も可能である。
〔ピン留め具の第３の実施形態〕
第３の実施形態に係るピン留め具は、ピンが挿入される筒体と、この筒体の外周に設けたコイルバネと、前記コイルバネの外周を包囲する外筒体によって構成される。
第３の実施形態において、筒体の内径、筒体に切込みを設ける点、コイルバネの後端側の端部を筒体に止着すると共にコイルバネの前端側の端部には留め部を形成して切込みに嵌入させる点、留め部と筒体の対向壁部との間にピン留め用の狭窄部を形成する点、筒体の前端部をラッパ状に拡径して開口させることが有効である点等は、第１の実施形態の場合と同様である。
この第３の実施形態においては、下記（１）又は（２）の構成が可能である。
（１）筒体の切込みを筒体の後端側から前端側へ向かって斜め方向に切り込んで設けると共に、コイルバネを軸方向に圧縮された状態で設け、かつ、コイルバネの全ての巻きサイクル又は前端側の巻きサイクルを、外筒体の内向きフランジの開口径よりも大径に形成する。この（１）において、斜め方向に切り込んで設ける切込みの構成は、第１の実施形態の（１）の場合と同様である。
（２）コイルバネの前端側において外筒体の内向きフランジの開口径よりも大径の第１巻きサイクルを形成し、コイルバネの他の巻きサイクルを筒体の外周に密着又はほぼ密着した状態で設ける。そのためには、コイルバネの第１巻きサイクル以外の巻きサイクルの巻き径を、筒体の外径と同等か、又はそれより小さくすることが好ましい。この第３の実施形態においては、外筒体には第２の実施形態のような窓状開口部を形成しない。そして、コイルバネの前端側の大径の巻きサイクルは、外筒体の窓状開口部に嵌合させるためではなく、この第１巻きサイクルと筒体の外向きフランジとの間に外筒体の内向きフランジを係合させるために形成される。
第３の実施形態に係るピン留め具の組み付け方法に関しては、「外筒体の窓状開口部にコイルバネの第１巻きサイクルの一部を嵌合させる」という点を除き、第２の実施形態の場合と同様である。
〔ピン留め具の第４の実施形態〕
第４の実施形態に係るピン留め具では、コイルバネの前端側の端部においてコイルバネの軸方向に伸びるアームを形成し、このアームの先端から、第１〜第３の実施形態の場合と同様に、コイルバネの円周線に対して径方向に交差するように延設された留め部を形成している。コイルバネの前端側の端部に上記のアームを設けることにより、留め部に対して、より柔らかな弾力性を与えることができる。その他の点は、第１〜第３の実施形態に係るコイルバネと同様の構成である。
〔ピン留めの実施形態〕
本発明のピン留めは、ネックレスの一方の鎖状端部に設けたピンと、このピンを留めるためにネックレスの他方の鎖状端部に設けたピン留め具からなるピン留めであって、前記ピンは磁石に吸着される金属材料からなり、先端部付近の凹状部分と、平坦に又は丸く形成された先端部とを備え、前記ピン留め具は上記のいずれかに記載の構成を備えると共に、筒体の内部には筒体に挿入されるピンの先端部を吸着する磁石が収納されている、ピン留めである。
筒体の内部における磁石の収納の形態は固定でも良いが、後述するように筒体の内部で僅かに遊動できる状態で収納することが、より好ましい。筒体の内部に磁石を固定する場合、その固定形態は、ピン留め具におけるコイルバネの留め部が切込みに沿って移動する動作や、この留め部がピンの凹状部分を押さえる動作を阻害しない限りにおいて限定されない。例えば、筒体の内部に筒体の内径とほぼ一致する円柱形の磁石を詰め込んだり、筒体内周部にリング状の磁石を取り付けたりすることができる。磁石の固定の手段は限定されないが、例えば筒体の内周部に対して接着剤を用いて接着することができる。筒体の内部における磁石の固定位置は、ピンが正しい挿入位置に挿入された状態において、ピンの先端部がちょうど磁石に接することとなる位置に固定することが好ましい。
より好ましい実施形態として、ピン留め具のコイルバネの後端側の端部を筒体に止着させると共に筒体の中心部まで延設させて磁石ストッパーを形成し、コイルバネの留め部と磁石ストッパーとの間で僅かに遊動できる状態で、磁石を筒体の内部に収納することができる。この場合、コイルバネの後端側の磁石ストッパーは、ピンが正しい挿入位置に挿入された状態（コイルバネの留め部がピンの凹状部分に食い込んだ状態）において、ちょうど磁石が磁石ストッパーに当たることとなるように設けることが好ましい。
【実施例】
【０００７】
次に本発明の実施例を説明する。本発明の技術的範囲は、以下の実施例によって限定されない。
〔実施例１〕
本実施例のピン留め具１１は、第５図（ａ）に示すように、ピン１２が挿入される筒体１３と、この筒体１３の外周を一定の遊びスペースを余して包囲する外筒体１４と、筒体１３及び外筒体１４の間の遊びスペースに設けられ、筒体１３の外周に密着ないしほぼ密着した状態で巻回されたコイルバネ１５によって構成される。筒体１３の外径よりも巻き径の小さいコイルバネ１５を用いると、筒体１３の外周に密着ないしほぼ密着した状態でコイルバネ１５が巻回された状態となる。但し、軸方向に圧縮された状態でコイルバネ１５を設ける場合には、このコイルバネ１５が筒体１３の外周に密着ないしほぼ密着した状態にある必要はない。
ピン１２はタイタック、ピンブローチ、ピアス、ネックレス等の身体装飾品（図示省略）に設けられたもので、その先端部付近には、径が小さくなった凹状部分１６が形成されている。ピン１２は、必ずしも凹状部分１６を備えていなくても良い。
次に、第２図〜第４図に基づいて、外筒体１４、コイルバネ１５及び筒体１３について順次説明する。第２図（ａ）、第２図（ｂ）及び第３図（ａ）に示す外筒体１４は、その前端部の開口部において内向きのフランジ１７を形成しているが、このフランジ１７は、なくても良い。又、外筒体１４の前端部付近には、周方向に一定の長さで溝状の窓状開口部１８を形成している。この窓状開口部１８の軸方向の幅はコイルバネ１５の太さよりも十分に大きい。第２図（ｂ）に示すように、窓状開口部１８は、外筒体１４の前端まで至る開口部である誘導開口部１８ａを伴っていても良い。誘導開口部１８ａを伴うことにより、窓状開口部１８の切り欠き加工が容易になる。
第２図（ｃ）に示すコイルバネ１５は、線状のバネ材をコイル状に成型したものであるが、その後端部には小さく屈曲させた止着部１９を形成しており、その前端側部分には他の巻きサイクルよりも大径の第１巻きサイクル２０を形成し、かつ第１巻きサイクル２０の前端部には、コイルバネ１５の円周線の中心に対する偏心位置を径方向に交差する形状の直線状の留め部２１を形成している。コイルバネ１５の留め部２１は、必ずしも直線状に形成する必要はなく、例えば第４図（ａ）に示すように、幾分湾曲しながら、コイルバネ１５の円周線の中心に対する偏心位置を径方向に交差する形状であっても良い。
次に、第２図（ｄ）及び第３図（ｂ）に示す筒体１３は、その内径がピン１２の外径よりも幾分大きい。筒体１３におけるピン１２の挿入側の端部である前端部付近には、筒体１３の周壁部を後端側から前端側へ向かって斜め方向に切り込んだ切込み２２を溝状に設けている。この切込み２２は、切込みの上端が外部に開放された溝状ではなく、第４図（ｂ）に示すように、切込みの上端が外部に開放されていない窓状に設けても良い。切込み２２を溝状に設けた場合は、コイルバネ１５の留め部２１を切込み２２に対して上方から嵌入させる。切込み２２を窓状に設けた場合は、コイルバネ１５の留め部２１を、その先端部分から切込み２２に対して差し込むようにして嵌入させる。切込み２２の幅はコイルバネ１５の太さよりも幾分大きい。又、切込み２２の切り込み方向は筒体１３の中心軸に対して３０°〜４５°程度の斜め方向である。切込み２２の切り込み深さは、後述の狭窄部の幅がピン１２の太さより十分に狭くなるように設計し、あるいは、ピン１２が凹状部分１６を備える場合には、狭窄部の幅がピン１２の凹状部分１６の太さとほぼ同等又はこれより少し小さくなるように設計する。「狭窄部」とは、切込み２２の先端と、これに対向する筒体１３の径方向反対側の壁部との間隔である。なお、本実施例においては、このような狭窄部の幅を設計するに当たり、狭窄部に相当する部分において筒体１３の壁部を内側に凹ませて、その管径を小さく絞った管径縮小部２３を形成している。但し、このような管径縮小部２３は必ずしも形成しなくても良い。筒体１３の後端側部分の適部には、コイルバネ１５の前記止着部１９を差し込むための止着孔２４を設けている。一方、筒体１３の前端部はラッパ状に拡径して開口させて、外向きのフランジ２５を形成している。このような外向きのフランジ２５の外径は、外筒体１４の内径よりも十分に大きい。
次に、本実施例のピン留め具１１の組み付け状態を第５図（ａ）に基づいて説明する。組み付けの手順としては、最初に、筒体１３に対してコイルバネ１５を巻回させ、コイルバネ１５の止着部１９を筒体１３の止着孔２４に差し込むと共に、コイルバネ１５の留め部２１を筒体１３の切込み２２に嵌入させることにより、筒体１３に対してコイルバネ１５を装着する。次いで、コイルバネ１５の第１巻きサイクル２０を弾性的に縮径させつつ、その外周に外筒体１４を外挿して、その窓状開口部１８にコイルバネ１５の第１巻きサイクル２０の一部を嵌合させる。筒体１３の前端部がラッパ状に拡径して開口している場合、外筒体１４を筒体１３の後端側（第５図の右側）から外挿する。
次に本実施例のピン留め具１１の使用状態を、第５図（ａ）及び第５図（ｂ）に基づいて説明する。ピン１２を筒体１３のラッパ状に拡径して開口した前端部から差し込むと、ピン１２の先端が筒体１３のピン留め用の狭窄部に位置するコイルバネ１５の留め部２１を押し、コイルバネ１５の弾発力に抗して、留め部２１を切込み２２に沿って図の斜め上方へ押し上げる。こうしてピン１２の先端が狭窄部を通過し、次いでピン１２の凹状部分１６が狭窄部に達したとき、コイルバネ１５の留め部２１が弾発力によって凹状部分１６に食い込み、ピン留めが行われる。ピン１２が凹状部分１６を備えない場合でも、ピン１２に対して留め部２１が弾発力によって強く押し付けられるため、十分なピン留め効果が得られる。一方、コイルバネ１５の留め部２１の弾発力に抗してピン１２を筒体１３から引き抜くと、上記とは逆の作用により、ピン留めが解除される。
〔実施例２〕
本実施例のピン留め具３１は、第６図に示すように、実施例１の場合と同様の構成を持つピン１２が挿入される筒体３２と、この筒体３２の外周を一定の遊びスペースを余して包囲する外筒体３３と、筒体３２及び外筒体３３の間の遊びスペースに設けられ、筒体３２の外周に密着ないしほぼ密着した状態で巻回されたコイルバネ３４によって構成される。但し、軸方向に圧縮された状態でコイルバネ３４を設ける場合には、このコイルバネ３４が筒体３２の外周に密着ないしほぼ密着した状態にある必要はない。
外筒体３３は、その前端部の開口部において内向きのフランジ３５を形成している。実施例１における外筒体１４とは異なり、外筒体３３は、その前端部付近に溝状の窓状開口部を形成していない。筒体３２とコイルバネ３４の構成は、実施例１における筒体１３及びコイルバネ１５の場合と同様である。但しコイルバネ３４に設けた大径の第１巻きサイクルは、外筒体３３の内向きのフランジ３５に対する係合手段として機能する。
次に、本実施例のピン留め具３１の組み付け状態を説明する。組み付けの手順としては、最初に、筒体３２に対してコイルバネ３４を、実施例１の場合と同じ操作によって装着する。次いで、コイルバネ３４の第１巻きサイクルを弾性的に縮径させつつ、その外周に外筒体３３を図の右側から外挿して、外筒体３３のフランジ３５を筒体３２の外向きのフランジとコイルバネ３４の第１巻きサイクルとの間に係合させるのである。
本実施例のピン留め具３１の使用状態に関しては、実施例１の場合と同様である。
〔実施例３〕
本実施例のピン留め具は、図示を省略するが、実施例１に係るピン留め具１１と比較して、第１に、外筒体１４を持たない点が異なる。第２に、コイルバネ１５が留め部２１を備えるが、大径の第１巻きサイクル２０を必要とせず、全体に筒体１３の外周に密着ないしほぼ密着した状態で巻回されたコイルバネであれば良い点が異なる。又、軸方向に圧縮された状態でコイルバネ１５を設ける場合には、このコイルバネ１５が筒体１３の外周に密着ないしほぼ密着した状態にある必要はない。その他の点は実施例１に係るピン留め具１１と同様に構成される。
本実施例のピン留め具の組み付け状態及び使用状態は、上記の相違点に関わる部分を除き、実施例１の場合と同様である。
〔実施例４〕
本実施例のピン留め具においては、第７図（ａ）〜第７図（ｃ）に示すコイルバネ１５ａを用いる。このコイルバネ１５ａは、線状のバネ材をコイル状に成型したものであり、その後端部には屈曲させた止着部１９を形成しており、その前端側部分にはコイルバネ１５ａの軸方向に伸びるアーム１５ｂを形成し、アーム１５ｂの先端から、実施例１〜実施例３の場合と同様に、コイルバネ１５ａの円周線に対して径方向に交差するように延設された留め部２１を形成している。
本実施例のピン留め具を第８図（ａ）及び第８図（ｂ）に示す。ピン留め具１１は、ピン１２が挿入される筒体１３と、この筒体１３の外周を一定の遊びスペースを余して包囲する外筒体１４と、筒体１３及び外筒体１４の間の遊びスペースに設けられ、筒体１３の外周に密着ないしほぼ密着した状態で巻回されたコイルバネ１５ａによって構成される。これらの各部材の構成及び組付け状態は、コイルバネ１５ａが上記した構成を有するものである点を除き、基本的に前記した各実施例と同様である。
本実施例のピン留め具１１の使用状態を説明する。ピン１２を筒体１３のラッパ状に拡径して開口した前端部から差し込むと、ピン１２の先端が筒体１３のピン留め用の狭窄部に位置するコイルバネ１５ａの留め部２１を押し、コイルバネ１５ａの弾発力に抗して、留め部２１を切込み２２に沿って図の斜め上方へ押し上げる。コイルバネ１５ａの留め部２１は、アーム１５ｂの先端に形成されているので、十分に柔らかな弾力性を与えられている。従って、仮にピン１２がかなりの太さを持っていても、留め部２１を十分に押し上げることができる。こうしてピン１２の先端が狭窄部を通過し、次いでピン１２の凹状部分１６が狭窄部に達したとき、コイルバネ１５ａの留め部２１が弾発力によって凹状部分１６に食い込み、ピン留めが行われる。一方、コイルバネ１５の留め部２１の弾発力に抗してピン１２を筒体１３から引き抜くと、上記とは逆の作用により、ピン留めが解除される。
〔実施例５〕
本発明のピン留めは、第９図に示すように、ネックレスの一方の鎖状端部に設けたピン１２ａと、このピン１２ａを留めるためにネックレスの他方の鎖状端部に設けたピン留め具１１ａ（ピン留め具１１ａの一部の図示を省略する）からなる。
ピン１２ａは、磁石に吸着される性質を持った金属材料からなり、平坦に又は丸く形成された先端部１２ｂと、先端部付近の凹状部分１６ａとを備えている。一方、ピン留め具１１ａは、実施例４の場合とほぼ同様の、筒体１３と、筒体１３の外周を一定の遊びスペースを余して包囲する外筒体１４と、筒体１３及び外筒体１４の間の遊びスペースに設けられ、筒体１３の外周に密着ないしほぼ密着した状態で巻回されたコイルバネ１５ｃによって構成されている。
筒体１３の内部には、筒体１３に挿入されるピン１２ａの先端部１２ｂを吸着するための磁石１３ａ（１点鎖線によって輪郭を図示する）が収納されている。この磁石１３ａは、筒体１３の内径よりもやや小さい直径を有する円柱形あるいはリング状の磁石を筒体１３の軸方向へ向けて収納したものである。
コイルバネ１５ｃは、その前端側部分にはコイルバネ１５ｃの軸方向に伸びるアーム１５ｄを形成し、アーム１５ｄの先端から、実施例１〜実施例３の場合と同様に、コイルバネ１５ｃの円周線に対して径方向に交差するように延設された留め部（図示しない）を形成している。一方、コイルバネ１５ｃの後端側の端部は筒体１３に設けた溝状の開口部２４ａに止着させると共に、その先端を筒体１３の中心部まで延設させて磁石ストッパー１５ｅを形成している。
この磁石ストッパー１５ｅは、コイルバネ１５ｃの留め部がピン１２ａの凹状部分１６ａに食い込んだ状態において、ちょうど磁石１３ａが磁石ストッパー１５ｅに当たることとなる位置に設けられている。その結果、ピン１２ａの先端部１２ｂを筒体１３に挿入する際には、磁石１３ａがコイルバネ１５ｃの留め部のすぐ後方まで遊動し、ピン１２ａに対する磁石１３ａの吸引・ガイド作用が十分に発揮される。一方、筒体１３に対してピン１２ａを更に深く挿入する際には、磁石１３ａが磁石ストッパー１５ｅによって止まる位置まで後方へ遊動するので、磁石１３ａがピン１２ａの挿入を阻害しない。
【産業上の利用可能性】
【０００８】
本発明のピン留め具は、製造及び組み付けが容易なごく少数の部品からなる簡単な構成を持ち、しかもピン留め具として優れた作用・効果を期待できる。
【図１】
2010073967.tif 000003
【図２】
2010073967.tif 000004
【図３】
2010073967.tif 000005
【図４】
2010073967.tif 000006
【図５】
2010073967.tif 000007
【図６】
2010073967.tif 000008
【図７】
2010073967.tif 000009
【図８】
2010073967.tif 000010
【図９】
2010073967.tif 000011
【国際調査報告】
2010073967.tif 000012
2010073967.tif 000013
2010073967.tif 000014
2010073967.tif 000015